(57)【要約】【課題】発光管の支持強度を向上できるとともに、それに伴う点灯装置の温度上昇を抑制できる蛍光ランプを提供する。【解決手段】蛍光ランプ１は、ベース部１２及びベース部１２から突設された一対の筒部１３を有したホルダ１１を備える。ホルダ１１に、電極が夫々封装された一対の管端部２ｂを有する発光管２を支持する。この支持において、筒部１３に管端部２ｂが夫々貫通されるとともに電極がベース部１２から離れて位置された状態に、管端部２ｂをホルダ１１に固着する。ベース部１２及び筒部１３のうちの少なくとも筒部１３を金属製とする。筒部１３のベース部１２に対する突出長さをベース部１２と電極との離間距離より短くする。ホルダ１１にカバー１７を取付け、更に、このカバー１７に口金２１を取付ける。発光管２を点灯させる点灯装置２５を、ホルダ１１、カバー１７、及び口金２１で囲まれた空間Ｓに収容したことを特徴としている。【選択図】図２
2011175866.tif 000002
【特許請求の範囲】
【請求項１】
電極が夫々封装された一対の管端部を有する発光管と；
ベース部及びこのベース部から突設された一対の筒部を有し、これら筒部に前記管端部が夫々貫通されるとともに前記電極が前記ベース部から離れて位置された状態に前記管端部を固着して前記発光管を支持するホルダであって、前記ベース及び筒部のうちの少なくとも前記筒部が金属製であるとともに、前記ベース部に対する前記筒部の突出長さを前記ベース部と前記電極との離間距離より短くした前記ホルダと；
このホルダに取付けられたカバーと；
このカバーに取付けられた口金と；
前記ホルダ、カバー、及び口金で囲まれた空間に収容されて前記発光管を点灯させる点灯装置と；
を具備することを特徴とする蛍光ランプ。
【請求項２】
請求項１に記載の蛍光ランプと；
この蛍光ランプが装着される器具本体と；
を具備することを特徴とする照明器具。
【発明の詳細な説明】
【技術分野】
【０００１】
本発明は、発光管の管端部が金属製のホルダに支持された蛍光ランプ、及びこのランプを備える照明器具に関する。
【背景技術】
【０００２】
合成樹脂製のカバー部材の一端部に口金を取付け、カバー部材の他端部にホルダを取付け、このホルダに螺旋状の発光管を支持するとともに、この発光管を点灯させる点灯装置をカバー部材に内蔵し、更にホルダに発光管を覆うグローブを取付けた電球形蛍光ランプが、従来技術として知られている（例えば、特許文献１参照。）。
【０００３】
この従来技術で、ホルダは金属製であり、一対の支持孔を有している。これらの支持孔に発光管が有した一対の管端部が個別に貫通されていて、管端部はシリコーン樹脂等の耐熱性接着剤によりホルダに固定されている。管端部にはフィラメント電極がステムシールによって封装されている。
【０００４】
この従来技術に係る蛍光ランプは、ホルダが金属製であるので、ホルダが樹脂製である場合のように発光管の管端部の温度上昇を原因として、ホルダの変色や変形がない点で優れている。
【先行技術文献】
【特許文献】
【０００５】
【特許文献１】特開２００８−４３９８号公報
【発明の概要】
【発明が解決しようとする課題】
【０００６】
従来技術に係る蛍光ランプの金属製ホルダは、略円盤状の浅い器形状であり、その盤状面をなす上面に一対の支持孔が開口されていて、これらの支持孔に既述のように発光管の管端部が接着により固定されている。
【０００７】
そのため、ホルダに対する発光管の支持強度が十分ではなく、輸送時等において発光管がぐらつき易いとともに、使用者が蛍光ランプを取り扱う際にも発光管がぐらついて不安感を与え易いことがある、という課題がある。
【０００８】
又、カバー部材に内蔵された点灯装置は、回路基板に複数の電気部品を装着してなるが、この点灯装置への発光管からの熱的影響を極力抑制できるようにすることが、点灯装置の寿命を長く維持する上で好ましい。
【０００９】
したがって、本発明の目的は、発光管の支持強度を向上できるとともに、それに伴う点灯装置の温度上昇を抑制できる蛍光ランプ及び照明器具を提供することにある。
【課題を解決するための手段】
【００１０】
前記課題を解決するために、請求項１に係る発明の蛍光ランプは、電極が夫々封装された一対の管端部を有する発光管と；ベース部及びこのベース部から突設された一対の筒部を有し、これら筒部に前記管端部が夫々貫通されるとともに前記電極が前記ベース部から離れて位置された状態に前記管端部を固着して前記発光管を支持するホルダであって、前記ベース及び筒部のうちの少なくとも前記筒部が金属製であるとともに、前記ベース部に対する前記筒部の突出長さを前記ベース部と前記電極との離間距離より短くした前記ホルダと；このホルダに取付けられたカバーと；このカバーに取付けられた口金と；前記ホルダ、カバー、及び口金で囲まれた空間に収容されて前記発光管を点灯させる点灯装置と；
を具備することを特徴としている。
【００１１】
本発明で、発光管は、一方の直管バルブの一対の管端部を除く中間部を曲げて例えば螺旋状に形成したものである。本発明で、ホルダは、全体が金属の一体成型品であることが好ましいが、夫々別成形されたベース部及び一対の筒部を、熱的に結合されるように溶接その他の接合手段により接合してなるホルダであってもよく、若しくは、金属からなる一対の筒部を合成樹脂製のベース部にインサート成形してなるホルダであってもよい。本発明で、ホルダが金属の一体成型品である場合、例えばアルミニウム合金のダイキャスト製品でもアルミニウム合金板をプレス成形したものであってもよい。又、本発明で、ホルダの金属部位をなす金属材料は、アルミニウム若しくはその合金等のように熱伝導率が高く安価でかつ軽量な金属であることが好ましいが、銅及びその合金、又は鉄及びその合金等でもよく、合成樹脂に比較して熱伝導性が良好な全ての金属を使用可能である。
【００１２】
本発明で、ベース部に対する筒部の突出長さをベース部と電極との離間距離より短くする場合、筒部の先端部が電極を覆わない長さであれば、可能な限り長い方が発光管の支持性能と放熱性能をより向上できる点で好ましい。特に、電極とこの電極を支持するリード線が貫通されたステム部の先端（電極側の端）との間に、筒部の先端を位置させることは、筒部によりステム部の視認を妨げることができる点でも好ましい。
【００１３】
又、本発明で、点灯装置には、インバータ回路を含んでいて、ランプ寿命末期に電極が切れると同時にインパータ回路の発振が停止する構成の点灯装置を用いることができる。この他に点灯装置としては、インバータ回路とともに電極に並列な負抵抗サーミスタ素子を含んでいて、ランプが点灯されて温度が上昇した状態では負抵抗サーミスタ素子を経由してインバータ回路への通電が継続される構成の点灯装置を用いることができる。後者の構成の点灯装置は、点灯中における電極を原因とする電力損失を減らすことができ、それに応じてランプの明るさを向上できる点で好ましい。
【００１４】
更に、本発明の蛍光ランプは、発光管を覆うグローブは備えていてもいなくても差し支えない。グローブを備えずに発光管が視認される構成とした蛍光ランプは、グローブによる明るさの損失がない点で好ましく、又、グローブを備える構成とした蛍光ランプは、発光管をホルダに固定するための接着剤が劣化して、粉状になって落下することがあっても、それをグローブ内に止めることができる点で好ましい。
【００１５】
請求項１の発明によれば、発光管の管端部が固定されるホルダが筒部を有しており、この筒部に管端部が貫通されているので、筒部によって発光管の支持強度を向上でき、発光管が不用意にぐらつくことを抑制できる。発光管の管端部を覆ったホルダの筒部は金属製であるので、管端部が異常発熱をした場合にも、その熱によって筒部が変色及び変形することがない。更に、筒部は電極を覆い隠さない長さに形成されているので、点灯中に、電極から放射される熱で筒部が加熱され難い。これとともに、筒部の熱はその外周面から放出されるので、筒部の熱が空間内の点灯装置に波及することが抑制されるに伴い、点灯装置の温度が上がり過ぎないようにできる点で好ましい。
【００１６】
又、前記課題を解決するために、請求項２に係る発明の照明器具は、請求項１に記載の蛍光ランプと；この蛍光ランプが装着される器具本体と；を具備することを特徴としている。
【００１７】
この請求項２の発明によれば、請求項１の発明の作用を有する蛍光ランプを備えた照明器具を提供できる。
【発明の効果】
【００１８】
請求項１に係る発明の蛍光ランプによれば、発光管の支持強度を向上できるとともに、それに伴う点灯装置の温度上昇を抑制できる、という効果がある。
【００１９】
請求項２に係る発明の照明器具によれば、この器具が備えた蛍光ランプの発光管の支持強度を向上できるとともに、それに伴う点灯装置の温度上昇を抑制できる、という効果がある。
【図面の簡単な説明】
【００２０】
【図１】本発明の一実施の形態に係る蛍光ランプを示す正面図である。
【図２】図１の蛍光ランプを一部切欠いた状態で示す正面図である。
【図３】図１の蛍光ランプを一部切欠いた状態で示す側面図である。
【図４】（Ａ）は図１の蛍光ランプが備えたホルダを示す正面図である。（Ｂ）は同ホルダを示す断面図である。（Ｃ）は同ホルダを示す裏面図である。
【図５】図１の蛍光ランプの一部を拡大して示す断面図である。
【図６】図１の蛍光ランプを備えた本発明の一実施形態に係る照明器具を示す断面図である。
【発明を実施するための形態】
【００２１】
以下、本発明の一実施形態について、図１〜図６を参照して詳細に説明する。
【００２２】
図１〜図３中符号１は一実施形態に係る蛍光ランプを示している。この蛍光ランプ１は、発光管２と、ホルダ１１と、カバー１７と、口金２１と、点灯装置２５と、絶縁部材２８を具備している。
【００２３】
発光管２は、一本の直管状ガラス管の中央領域を頂部２ａ（図３参照）とし、この頂部２ａの反対側に一対の管端部２ｂを有していて、これら管端部２ｂを除いた発光管２の中間部が螺旋状に形成されている。がラス管の内面に図示しない蛍光体層が形成されており、このガラス管を有した発光管２内に放電媒体である希ガスが封入されている。
【００２４】
螺旋状をなす発光管２の成形は、一本の直管状ガラス管を、加熱軟化させた状態で略二等分するように屈曲して頂部を形成し、更に、この屈曲されたガラス管を、螺旋状に形成された溝を有する成形型に沿わせて巻き付けることにより形成する。それにより、一対の管端部２ｂが、発光管２の中心軸線に夫々平行で上下方向に延びるように形成される。
【００２５】
これら管端部２ｂは電極封止端部を形成している。すなわち、図５で代表するように、前記ガラス管の端に融着されてこの端を閉じた封止ガラス３を備え、この封止ガラス３はステム部３ａを有している。ステム部３ａには、二本のリードワイヤ４が気密に貫通されていて、管端部２ｂの内側に導出されたリードワイヤ４のインナーリード部間にわたって電極として例えばフィラメント電極５が支持されている。したがって、発光管２の管端部２ｂにはフィラメント電極５が封装されている。なお、図５中符号６は、ステム部３ａから一体に連続してガラス管の外部に突出された排気管を示している。
【００２６】
ホルダ１１は金属製例えばアルミニウム合金のダイキャスト製品からなる。このホルダ１１は、図４（Ａ）〜（Ｃ）等に示すようにベース部１２と、このベース部１２から一体に突設された一対の筒部１３及び一対の環状部１４とを有している。
【００２７】
図４（Ａ）〜図４（Ｃ）に示すようにベース部１２は、平らな基板部位１２ａとこの部位の周縁から裏側に折れ曲がった周壁部位１２ｂとから略円盤形状の浅い器形状に形成されている。
【００２８】
一対の筒部１３は、円筒状で、ベース部１２の中心からずれてベース部１２の基板部位１２ａに突設されている。これらの筒部１３のベース部１２に対する長さを図５に符号Ａで示す。
【００２９】
環状部１４は、筒部１３より大径であり、ベース部１２の基板部位１２ａの裏面に突設されている。環状部１４は筒部１３に対し同心円となる配置で設けられていて，その中央部に筒部１３が開口されている。これらの環状部１４の突出高さは図５に示すようにベース部１２の周壁部位１２ｂの突出高さＢより短い。
【００３０】
このホルダ１１に発光管２の管端部２ｂが固定されている。詳しくは、一対の管端部２ｂが、ベース部１２の基板部位１２ａを貫通する状態に、筒部１３が突出された側から夫々の筒部１３に挿入されていて、各筒部１３の基板部位１２ａに対する開口と管端部２ｂとの間にベース部１２の裏側から塗布された図示しない接着剤により、管端部２ｂがホルダ１１に接着して固定されている。接着剤には、シリコーン樹脂又はセメント若しくはこれらの双方を用いることができる。環状部１４は、接着剤の広がりを防止する堤防として用いられている。
【００３１】
こうしてホルダ１１に固定された発光管２のフィラメント電極５とホルダ１１の各部との位置関係を図５で代表して示す。つまり、フィラメント電極５はベース部１２の基板部位１２ａから筒部１３の突出方向に離れて位置されている。基板部位１２ａに対するフィラメント電極５の離間距離を図５中符号Ｃで示す。これとともに、筒部１３の長さＡ、つまり、ベース部１２の基板部位１２ａに対する筒部１３の突出高さは、前記離間距離Ｃより短い。それにより、筒部１３の先端が、例えばステム部３ａの先端とフィラメント電極５との間の高さに配置されている。このような配置は、筒部１３がフィラメント電極５の熱を受けることを抑制できるとともに、ステム部３ａが後述のように異常発熱をした場合に、このステム部３ａの視認を妨げることができる利点がある。
【００３２】
カバー１７は、耐熱性を有する合成樹脂製の成形体であって、ホルダ１１の周壁部位１２ｂの外周に例えば螺合する等によりホルダ１１に取付けられている。このカバー１７のホルダ１１と反対側の部位は縮径されていて、この縮径された部位に口金２１が取付けられている。
【００３３】
図２及び図３に示すように点灯装置２５と絶縁部材２８が、ホルダ１１、カバー１７、及び口金２１で囲まれた空間Ｓに収容されている。点灯装置２５は、回路基板２５ａに、発光管２を発光させる点灯回路を構成する各種の回路部品２５ｂを実装して形成されている。
【００３４】
この点灯回路は、例えば高周波を発生するインバータ回路とともに負抵抗サーミスタ素子を含んでいる。負抵抗サーミスタ素子は、フィラメント電極５の夫々に並列に接続されている。そのため、点灯装置２５では、蛍光ランプ１が点灯されて温度が上昇した状態では、負抵抗サーミスタ素子を経由してインバータ回路への通電が継続される。このように点灯装置２５は、フィラメント電極５を蛍光ランプ１の点灯時に予熱しない構成であるため、点灯中におけるフィラメント電極５での電力損失を減らすことができ、それに応じて蛍光ランプ１の明るさを向上させることができる。
【００３５】
点灯装置２５は、その回路基板２５ａが蛍光ランプ１の中心軸線と平行となるように縦に配設されている。この点灯装置２５は、図示しないリード線を介して口金２１に電気的に接続されているとともに、リードワイヤ４の前記空間Ｓに導出されたアウタリード部に図示しないリード線を介して電気的に接続されている。
【００３６】
絶縁部材２８は、ＰＢＴ（ポリブチレンテレフタレート）等の電気絶縁性でかつ耐熱性合成樹脂により、前記ホルダ１１が有したベース部１２の内周面の形状に見合った形状でかつ上下面が開口された筒状に形成されていて、ベース部１２内にその裏側から嵌合するように配設されている。したがって、この絶縁部材２８により、点灯装置２５の点灯回路を金属製のホルダ１１に対して電気絶縁することができる。
【００３７】
以上の構成の蛍光ランプ１は、その発光管２の管端部２ｂが固定されるホルダ１１が有した筒部１３に、管端部２ｂが貫通されているので、筒部１３によって発光管２の支持強度を向上できる。そのため、蛍光ランプ１の輸送時などに発光管２がその固定箇所を起点にして不用意にぐらつくことを抑制することができるとともに、同様の理由からランプ交換を使用者等が行う際に発光管２がぐらつき難いので、使用者等に不安感を与えないようにできる。
【００３８】
なお、ホルダ１１に対する発光管２の固定を、ホルダ１１の裏側から接着するだけではなく、ホルダ１１の表側つまり筒部１３の先端側において、この筒部１３と管端部２ｂとの間に隙間に接着剤を塗布して接着する構成、又は、筒部１３の内面全体に接着剤を塗布して管端部２ｂを接着する構成とすることも可能である。こうした構成を採用した場合には、更に、筒部１３による発光管２の支持強度を向上することができる。また、ホルダ１１の表側である筒部１３の先端側に、シリコーン樹脂の接着剤を塗布するとともに、ホルダの裏側と管端部との間に、セメントからなる接着剤を塗布することで、発光管２の支持強度をより向上することができるとともに、シリコーン樹脂の接着剤が点灯中の熱や紫外線を受けることなどにより粉状に劣化すること等も抑制できる。
【００３９】
次に、図６を参照して前記構成の蛍光ランプ１を光源としたタウンライト式の照明器具３１を説明する。
【００４０】
この照明器具３１は、器具本体３２と、反射体３３と、ランプソケット３４と、前記蛍光ランプ１を具備している。器具本体３２は、下面に開口部３２ａを有する金属製のケースからなり、その内側上部にソケット取付け台３５を有している。このソケット取付け台３５にランプソケット３４が下向きに取付けられている。この器具本体３２は例えば店舗等の天井面Ｄに設置されている。
【００４１】
反射体３３は、金属製であって、ソケット取付け台３５の下側に位置して器具本体３２に取付けられている。この反射体３３の下部は開口部３２ａに嵌合されており、この下部は出射口として開口されている。反射体３３の上面中央部にランプソケット３４が通されている。蛍光ランプ１は、前記出射口を通してランプソケット３４にその下側から口金２１をねじ込んで取付けられている。それにより、蛍光ランプ１は、口金２１を上向きにし、かつ、発光管２の頂部２ａを下向きにして、反射体３３の内側に配設されている。
【００４２】
照明器具３１の蛍光ランプ１が点灯されることにより、その発光管２から放射された光のうちで、反射体３３で反射されることなくこの反射体３３の出射口を直接通って出射された光と、反射体３３で反射された後に出射口を通って出射された光とで、下方照明ができる。この場合、発光管２がグローブで覆われていないので、グローブによる光の損失がなく、下方照明の明るさを向上できる。
【００４３】
又、蛍光ランプ１の点灯時、発光管２の管端部２ｂの温度は、この管端部２ｂに封装されたフィラメント電極５によって、発光管２の他の部位よりも高温となる。それにも拘らず、発光管２の管端部２ｂを覆っているホルダ１１の筒部１３が金属製であるので、管端部２ｂの熱によって筒部１３が変色及び変形することがない。
【００４４】
更に、点灯装置２５は、蛍光ランプ１の点灯中そのフィラメント電極５を予熱しない構成であるので、フィラメント電流にフィラメント抵抗を乗じた値の電力損失がなく、蛍光ランプ１の点灯中の明るさを向上できる。
【００４５】
この点灯装置２５を備えた蛍光ランプ１の寿命末期にフィラメント電極５が切れて不点灯状態となった場合、点灯装置２５が負特性サーミスタ素子を有していることにより、この点灯装置２５のインバータ回路は発振動作を継続できる。こうした状況では、それ以前にステム部３ａの表面に付着堆積していたエミッタ物質を介してフィラメント電極５が短絡する可能性あり、その場合の短絡電流により、管端部２ｂのステム部３ａが異常発熱する恐れがある。このような状況に至ったとしても、既述のように管端部２ｂを覆っている筒部１３が金属製であるので、前記異常発熱に伴って筒部１３が変色及び変形することがない。
【００４６】
しかも、蛍光ランプ１の寿命が尽きて不点灯状態となった後に、発光管２の管端部２ｂを視認しようとしても、この管端部２ｂ内のステム部３ａの状況が視認されることを、金属製の筒部１３によって妨げることができる。
【００４７】
又、筒部１３はフィラメント電極５を覆い隠さない長さＡに形成されているので、蛍光ランプ１の点灯中に、フィラメント電極５から放射される熱で筒部１３が加熱され難い。加えて、筒部１３が受けた熱は、この筒部１３の外周面から放出されるとともに、筒部１３よりも遥かに表面積が大きいベース部１２に拡散して、このベース部１２から外部に放出されるので、筒部１３の熱が点灯装置２５に波及することが抑制される。その上、ホルダ１１と点灯装置２５との間に筒状をなした耐熱性の絶縁部材２８が介在されているので、この絶縁部材２８によりホルダ１１から点灯装置２５への熱の波及を邪魔することができる。したがって、空間Ｓに収容された点灯装置２５の温度が上がり過ぎないようにできるので、点灯装置２５の寿命を長く確保することが可能である。
【００４８】
なお、本発明は前記一実施形態には制約されない。例えば、発光管を覆うグローブを備えた電球形の蛍光ランプ及びこのランプを備えた照明器具として本発明を実施することも可能であるとともに、ダウンライト以外の照明器具にも本発明は実施することが可能である。
【符号の説明】
【００４９】
１…蛍光ランプ、２…発光管、２ｂ…管端部、５…フィラメント電極（電極）、１１…ホルダ、１２…ベース部、１３…筒部、Ａ…筒部の長さ、Ｃ…離間距離、１７…カバー、２１…口金、２５…点灯装置、Ｓ…空間、３１…照明器具、３１…器具本体
【図１】
2011175866.tif 000003
【図２】
2011175866.tif 000004
【図３】
2011175866.tif 000005
【図４】
2011175866.tif 000006
【図５】
2011175866.tif 000007
【図６】
2011175866.tif 000008